Podtech/llm-jp-corpus-v4-ja_patent huggingface dataset:
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
ブラシネック（１１０，２１０）を有する、音波振動歯ブラシ用のブラシヘッド（１００，２００）であって、前記ブラシネック（１１０，２１０）は、
ａ.  遠位領域に、歯をクリーニングするための、方向付け軸線（１３１，２３１）を備えたクリーニングエレメント（１３０，２３０）、特に複数のフィラメントと、
ｂ.  近位領域に、当該ブラシヘッド（１００，２００）を振動発生器（３００）と連結し且つ該振動発生器（３００）の振動を前記クリーニングエレメント（１３０，２３０）に伝達するアダプタ軸線（１２１，２２１）を備えたアダプタ（１２０，２２０）と、
を有し、
ｃ.  前記アダプタ軸線（１２１，２２１）は、前記方向付け軸線（１３１，２３１）との間に、９０°よりも大きな角度、好ましくは９１°〜１２０°の角度、さらに好ましくは９５°〜１０５°の角度、特に好ましくは９８°〜１０２°の角度を成している、ブラシヘッド（１００，２００）において、
ｄ.  前記ブラシネック（１１０，２１０）は、前側部分（１４０，２４０）と背側部分（１５０，２５０）とを有し、前記前側部分（１４０，２４０）は前記クリーニングエレメント（１３０，２３０）を有していて、前記前側部分（１４０，２４０）は、第１のプラスチックから成っていて、かつ前記背側部分（１５０，２５０）は、第２のプラスチックから成っていることを特徴とする、音波振動歯ブラシ用のブラシヘッド（１００，２００）。
【請求項２】
前記ブラシネック（１１０，２１０）は、前記アダプタを備えた第１部分（１１１，２１１）と、前記クリーニングエレメント（１３０，２３０）を備えた第２部分（１１３，２１３）とを有し、前記第１部分（１１１，２１１）の第１の主軸線（１１２，２１２）と前記第２部分（１１３，２１３）の第２の主軸線（１１４，２１４）とが、１５０°〜１７９°の角度、好ましくは１６５°〜１７５°の角度、特に好ましくは１６８°〜１７２°の角度を成している、請求項１記載のブラシヘッド（１００，２００）。
【請求項３】
前記クリーニングエレメント（１３０，２３０）は、前記第２部分（１１３，２１３）の、形成された角度とは反対に位置する側に配置されている、請求項２記載のブラシヘッド（１００，２００）。
【請求項４】
前記クリーニングエレメント（１３０，２３０）は、複数のフィラメント束を有し、外側に位置するフィラメント束が、内側に位置しているフィラメント束を超えて突出している、請求項１から３までのいずれか１項記載のブラシヘッド（１００，２００）。
【請求項５】
前記前側部分（１４０，２４０）と前記背側部分（１５０，２５０）とは、注型によって互いに結合されている、請求項１記載のブラシヘッド（１００，２００）。
【請求項６】
前記第２のプラスチックは、前記第１のプラスチックよりも低い硬度を有している、請求項１記載のブラシヘッド（１００，２００）。
【請求項７】
請求項１から６までのいずれか１項記載のブラシヘッド（１００，２００）を有する音波振動歯ブラシ。
【請求項８】
振動発生器（３００）が、アダプタ（１２０，２２０）内に導入するためのピン（３１０）を有し、該ピン（３１０）によって、前記振動発生器（３００）からクリーニングエレメント（１３０，２３０）に振動が伝達可能である、請求項７記載の音波振動歯ブラシ。
【請求項９】
前記アダプタ（１２０，２２０）および前記ピン（３１０）は、前記アダプタ（１２０，２２０）内への前記ピン（３１０）の導入時にアダプタ軸線（１２１，２２１）における回動防止部および固定部が得られるように形成されている、請求項８記載の音波振動歯ブラシ。
【請求項１０】
前記アダプタ軸線（１２１，２２１）における前記固定部は、前記アダプタ（１２０，２２０）の係止突起（１２２，２２２）によって形成されていて、該係止突起（１２２，２２２）は、前記ピン（３１０）の溝（３１２）内に係止可能である、請求項９記載の音波振動歯ブラシ。
【請求項１１】
前記回動防止部は、前記ピン（３１０）の側部の扁平面取り部（３１１）によって、かつ前記アダプタ（１２０，２２０）の相応の形状によって形成されている、請求項１０記載の音波振動歯ブラシ。
【請求項１２】
前記ピン（３１０）は、遠位端に、前記溝（３１２）に接続して前記扁平面取り部（３１１）を有している、請求項１１記載の音波振動歯ブラシ。
【請求項１３】
特に音波振動歯ブラシ用のブラシヘッド（１００，２００）を製造する方法であって、特にクリーニングエレメント（１３０，２３０）用の収容部を備えた前側部分（１４０，２４０）と、背側部分（１５０，２５０）とを一緒に注型することを特徴とする方法。
【請求項１４】
前記背側部分（１５０，２５０）は前記前側部分（１４０，２４０）よりも低い硬度を有している、請求項１３記載の方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
空気流れを周囲空気圧力に対して連続的に陽圧において少なくとも患者の鼻孔入口を含む患者の気道への入口へ密閉された様態で送達するための患者インターフェースのためのクッションアセンブリであって、前記患者インターフェースは、使用時において患者の睡眠時の患者の呼吸サイクル全体において周囲空気圧力よりも高い約４ｃｍＨ２Ｏ〜約３０ｃｍＨ２Ｏの範囲の治療圧力を維持し、睡眠時呼吸障害が改善されるように構成され、前記クッションアセンブリは、
エラストマー支持部位と、
エラストマー支持部位によって支持され、上側接点および下側接点においてエラストマーシール形成構造に対する接線を含む矢状面によって二等分されるような形状にされるエラストマーシール形成構造であって、前記エラストマー支持部位は、エラストマーシール形成構造よりも高剛性である、エラストマーシール形成構造と、
前記エラストマー支持部位および前記エラストマーシール形成構造により規定される、チャンバと、を含み、
前記エラストマーシール形成構造は、前記チャンバの境界を形成する内面を含み、前記内面の反対側の外面を含み、
前記エラストマーシール形成構造は、上側接点を含む第１のコンプライアント領域と、ならびに第１および第２のコンプライアント領域よりも高剛性である支持領域によって第１のコンプライアント領域から分離された第２のコンプライアント領域を含み、
前記高剛性支持領域は、前記エラストマー支持部位へ延び、エラストマー支持部位によってアンカー固定され、
前記高剛性支持領域は、前記第１のコンプライアント領域が圧縮力を受けたときに前記第１のコンプライアント領域の皺および襞、またはそれらの何れか一方に耐えるように構成され、
前記剛性支持領域内の各点において、外面が正の曲率を有するとき、内面は負の曲率を有し、外面が負の曲率を有するとき、内面は正の曲率を有する、クッションアセンブリ。
【請求項２】
前記支持領域は、前記エラストマー支持部位に近づくにつれて剛性が高くなる、請求項１に記載のクッションアセンブリ。
【請求項３】
前記第１のコンプライアント領域は、前記エラストマー支持部位へ延びる、請求項１または２に記載のクッションアセンブリ。
【請求項４】
前記第２のコンプライアント領域は前記エラストマー支持部位へ延びる、請求項１〜３のいずれか一項に記載のクッションアセンブリ。
【請求項５】
前記第２のコンプライアント領域内の前記エラストマーシール形成部分の剛性は、前記エラストマー支持部位に近づくにつれて増加する、請求項１〜４のいずれか一項に記載のクッションアセンブリ。
【請求項６】
前記第２のコンプライアント領域は、前記エラストマー支持部位へアンカー固定されたループへと移行する、請求項１〜５のいずれか一項に記載のクッションアセンブリ。
【請求項７】
前記ループのエラストマー壁厚さは、前記エラストマー支持部位に近づくにつれて増加する、請求項６に記載のクッションアセンブリ。
【請求項８】
前記エラストマーシール形成部分は、前記下側接点を含む第３のコンプライアント領域を含む、請求項１〜７のいずれか一項に記載のクッションアセンブリ。
【請求項９】
前記第１のコンプライアント領域および第３のコンプライアント領域は、同じ剛性を有する、請求項８に記載のクッションアセンブリ。
【請求項１０】
前記エラストマーシール形成部分の剛性は、前記第３のコンプライアント領域から前記第１のコンプライアント領域へ延びる前記エラストマーシール形成構造の連続部分内において不変である、請求項８または９に記載のクッションアセンブリ。
【請求項１１】
前記エラストマーシール形成構造の前記連続部分は、前記第２のコンプライアント領域の一部を含む、請求項１０に記載のクッションアセンブリ。
【請求項１２】
前記エラストマーシール形成構造は、前記第２のコンプライアント領域と前記第３のコンプライアント領域との間に配置された中間支持領域および側部支持領域をさらに含む、請求項８〜１１のいずれか一項に記載のクッションアセンブリ。
【請求項１３】
前記中間支持領域および前記側部支持領域は、前記第１および第３のコンプライアント領域よりも高剛性である、請求項１２に記載のクッションアセンブリ。
【請求項１４】
前記第３のコンプライアント領域は、前記第１のコンプライアント領域に近づくにつれて曲線状である、請求項８〜１３のいずれか一項に記載のクッションアセンブリ。
【請求項１５】
前記エラストマー支持部位の深さは、前記エラストマー支持部位の前記深さが前記第１のコンプライアント領域および第２のコンプライアント領域において最小になるように変化する、請求項１〜１４のいずれか一項に記載のクッションアセンブリ。
【請求項１６】
前記エラストマー支持部位は、前記エラストマーシール形成構造が前記エラストマー支持部位中へ圧縮されたときに枢動するように構成された一対の枢動可能なフランジを含む、請求項１〜１５のいずれか一項に記載のクッションアセンブリ。
【請求項１７】
前記シール形成構造は、エラストマー材料の単一層を含む、請求項１〜１６のいずれか一項に記載のクッションアセンブリ。
【請求項１８】
患者インターフェースであって、
請求項１〜１７のいずれか一項に記載のクッションアセンブリと、
前記クッションアセンブリへ取り外し可能に接続された剛性シェルと、
前記剛性シェルへ取り外し可能に取り付けられたヘッドギアと、を含む、患者インターフェース。
【請求項１９】
ＣＰＡＰシステムであって、
請求項１８に記載の患者インターフェースと、
ガス流れを加圧するように構成された流れ生成器と、
前記加圧ガスを前記患者インターフェースへ送達するように構成された空気送達管と、を含む、ＣＰＡＰシステム。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
周囲空気圧力に対して連続的に陽圧にて少なくとも患者の鼻腔の入口を含む患者の気道の入口への空気流れの密閉送達のための患者インターフェースのためのクッションアセンブリであって、
前記患者インターフェースは、患者の睡眠時における患者の呼吸サイクルを通じて、使用時において周囲空気圧力を超える約４ｃｍＨ２Ｏ〜約３０ｃｍＨ２Ｏの範囲の治療圧力を維持するように構成され、これにより、睡眠障害呼吸が改善され、
前記クッションアセンブリは、
上側接点および下側接点においてエラストマーシール形成部分に対する接線を含む矢状面によって二等分されるような形状にされたエラストマーシール形成部分を備え、
前記エラストマーシール形成部分は、
前記上側接点近隣において前記矢状面に跨がる半球状の上領域と、
前記矢状面に跨がり、且つ前記下側接点を含むサドル状の下領域と、
前記サドル状の下領域から前記半球状の上領域へ延びる第１の支持領域であって、前記半球状の上領域のエラストマー壁厚さおよび前記サドル状の下領域のエラストマー壁厚さより大きい一貫したエラストマー壁厚さを有する第１の支持領域と、
前記第１の支持領域に隣接する第２の支持領域であって、第２の支持領域が前記サドル状の下領域から前記半球状の上領域へ延びており、近位側の前記第１の支持領域によって境界付けられ、前記近位側と反対側の遠位側を有し、前記第２の支持領域におけるエラストマー壁厚さは、前記遠位側から前記近位側に向かって増加する、第２の支持領域と、
を備える、クッションアセンブリ。
【請求項２】
前記遠位側の前記第２の支持領域の前記エラストマー壁厚さは、前記近位側の前記第２の支持領域の前記エラストマー壁厚さより小さい、請求項１に記載のクッションアセンブリ。
【請求項３】
前記近位側の前記第２の支持領域の前記エラストマー壁厚さは、前記第１の支持領域の前記エラストマー壁厚さと同じである、請求項１又は２に記載のクッションアセンブリ。
【請求項４】
前記エラストマーシール形成部分は、前記第２の支持領域に隣接する第３の支持領域をさらに備え、
前記第２の支持領域は、前記遠位側で前記第３の支持領域によって境界付けられる、請求項１〜３のいずれか一項に記載のクッションアセンブリ。
【請求項５】
前記第３の支持領域の前記エラストマー壁厚さは、前記第２の支持領域の前記遠位側の前記エラストマー壁厚さと同じである、請求項４に記載のクッションアセンブリ。
【請求項６】
前記エラストマーシール形成部分は、上側接点近隣において前記矢状面に跨がるサドル状の上領域をさらに備える、請求項１〜５のいずれか一項に記載のクッションアセンブリ。
【請求項７】
前記サドル状の上領域の前記エラストマー壁厚さは、前記半球状の上領域の前記エラストマー壁厚さよりも小さい、請求項６に記載のクッションアセンブリ。
【請求項８】
前記エラストマーシール形成部分は、前記第２の支持領域と、前記サドル状の上領域と、前記半球状の上領域とによって境界付けられたコンプライアント領域をさらに備える、請求項６又は７に記載のクッションアセンブリ。
【請求項９】
前記コンプライアント領域の前記エラストマー壁厚さは、前記サドル状の上領域の前記エラストマー壁厚さ、及び前記半球状の上領域の前記エラストマー壁厚さよりも大きい、請求項８に記載のクッションアセンブリ。
【請求項１０】
前記コンプライアント領域の前記エラストマー壁厚さは、前記第２の支持領域の前記エラストマー壁厚さよりも小さい、請求項８又は９に記載のクッションアセンブリ。
【請求項１１】
前記エラストマーシール形成部分は、前記コンプライアント領域及び前記第２の支持領域から延びているループ接続をさらに備える、請求項８〜１０のいずれか一項に記載のクッションアセンブリ。
【請求項１２】
前記エラストマーシール形成部分は、前記コンプライアント領域及び前記第２の支持領域から延びているフラップ部分をさらに備える、請求項１１に記載のクッションアセンブリ。
【請求項１３】
前記フラップ部分は、前記ループ接続が前記コンプライアント領域及び前記第２の支持領域に取り付けられる位置から延びている、請求項１２に記載のクッションアセンブリ。
【請求項１４】
前記フラップ部分の前記エラストマー壁厚さは、前記コンプライアント領域及び前記第２の支持領域における前記エラストマー壁厚さよりも小さい、請求項１２又は１３に記載のクッションアセンブリ。
【請求項１５】
前記フラップ部分は、前記ループ接続から独立して移動するように構成される、請求項１２〜１４のいずれか一項に記載のクッションアセンブリ。
【請求項１６】
患者インターフェースであって、
請求項１〜１５のいずれか一項に記載のクッションアセンブリと、
前記クッションアセンブリに取り外し可能に接続された剛体シェルと、
前記剛体シェルに取り外し可能に取り付けられたヘッドギアと、
を備える、患者インターフェース。
【請求項１７】
ＣＰＡＰシステムであって、
請求項１６に記載の患者インターフェースと、
ガス流れを加圧するように構成された流れ生成器と、
前記加圧されたガスを前記患者インターフェースに送達するように構成された空気送達管と、
を備える、ＣＰＡＰシステム。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
患者の健康状態及び診療記録に基づいて追加検査を提案する方法であって、当該方法は、
ユーザインターフェースを介して、前記患者の診療記録を入力するステップと、
複数の健康センサを介して、前記患者の健康パラメータを取得するステップと、
取得した前記健康パラメータに基づいて、前記患者の健康状態を決定するステップと、
決定された前記患者の健康状態及び入力された前記患者の診療記録を、ネットワークサーバに送信して、前記ネットワークサーバを介して、送信された前記患者の健康状態及び診療記録に対応する健康テンプレートを決定するステップと、
前記ネットワークサーバから、決定された前記健康テンプレートを受信するステップと、
受信した前記健康テンプレートから、酸素飽和度閾値範囲及び脈拍数閾値範囲を抽出するステップと、
パルスオキシメータを介して、前記患者の酸素飽和度及び脈拍数を取得するステップと、
取得した前記酸素飽和度及び前記脈拍数が、それぞれ、抽出した前記酸素飽和度閾値範囲及び前記脈拍閾値範囲内にない場合、取得した前記健康テンプレートに基づいて、異なる１つ以上の追加検査を提案するステップと、
を含み、
前記１つ以上の追加検査は、血圧検査、呼吸速度検査及びオプションの提案検査から選択される、方法。
【請求項２】
前記健康テンプレートは、喘息、低血圧、肺高血圧、ＣＯＰＤの既往歴、肺がんの既往歴及び糖尿病の既往歴から選択される、請求項１に記載の方法。
【請求項３】
前記健康テンプレートは、喘息であり、前記酸素飽和度閾値範囲は、１００〜９４ＳｐＯ２％であり、前記脈拍数閾値範囲は、７０〜４５ＢＰＭである、請求項２に記載の方法。
【請求項４】
前記診療記録は、前記患者の病気、疾患、現在の薬物治療、家族病歴、若しくは年齢、体重、身長を含む患者情報又はこれらの任意の組み合わせを含む、請求項１に記載の方法。
【請求項５】
取得した前記健康パラメータは、免疫グロブリンＥレベル、体温又は両方を含む、請求項１に記載の方法。
【請求項６】
前記患者の健康状態を決定するステップは、コントローラユニットによって自動的に行われる、請求項１に記載の方法。
【請求項７】
前記患者の健康状態及び診療記録を、コントローラユニットのメモリに記憶するステップを更に含む、請求項１に記載の方法。
【請求項８】
前記患者の健康状態を決定するために、前記患者の前記健康パラメータを取得するステップを更に含む、請求項１に記載の方法。
【請求項９】
前記１つ以上の追加検査は、取得した前記健康テンプレートから抽出される、請求項１に記載の方法。
【請求項１０】
前記患者の前記酸素飽和度及び前記脈拍数を取得するステップは、取得した前記酸素飽和度及び前記脈拍数が各々の閾値範囲内にある場合は、引き続き行われる、請求項１に記載の方法。
【請求項１１】
提案される前記１つ以上の追加検査が前記患者に行われるべきであることを医師に警告するアラームを、表示デバイスを介してトリガリングするステップを更に含む、請求項１に記載の方法。
【請求項１２】
請求項１に記載の方法を用いて、患者の健康状態及び診療記録に基づいて追加検査を提案するシステムであって、
前記患者の健康パラメータを取得する複数の健康センサと、
前記患者の酸素飽和度及び脈拍数を取得するパルスオキシメータと、
前記患者の診療記録を入力するためのユーザインターフェースを有する表示デバイスと、
前記複数の健康センサ、前記パルスオキシメータ及び前記表示デバイスに接続されるコントローラユニットと、
前記コントローラユニットに接続され、前記患者の健康パラメータ及び入力された前記患者の診療記録に基づいて、健康テンプレートを決定するネットワークサーバと、
を含む、システム。
【請求項１３】
前記コントローラユニットは、前記表示デバイスに接続されるスタンドアロンデバイスである、
前記コントローラユニットは、前記表示デバイス内に存在する、及び
前記コントローラユニットは、前記パルスオキシメータ内に存在する、
のうちの１つである、請求項１２に記載のシステム。
【請求項１４】
前記ユーザインターフェースは、前記表示デバイスに組み込まれている、請求項１２に記載のシステム。
【請求項１５】
前記ユーザインターフェースは、追加測定インターフェースを含む、請求項１２に記載のシステム。
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
特に白内障手術の医療目的で用いられ、閉じられた環境にレンズ（Ｋ）を保持し、包むことによって目にレンズを折り畳み、移植し、
中空の円筒状の、保持を提供するホルダを有する１つの第１の本体（２）と、
与えられた圧縮力で前記第１の本体（２）を通って、前記レンズ（Ｌ）が外に出ることを可能とする１つのプランジャ（３）と、前記プランジャ（３）に与えられた圧縮力によって、押し込まれている間、前記ＩＯＬ（Ｌ）の出て行くことを調整するバネと、プランジャ（３）に与えられた前記レンズ（Ｌ）の損傷なしに押し込み、前記バネ（５）に伝えられることによって、圧縮力を伝える１つのクッション（１３）と、
前記第１の本体の遠位端に取り付けられており、前記第１の本体（２）より小さい直径を有し、システム部品を組み立てるための開口上部を備える空の三日月型の形状を有する１つの第２の本体（４）と、を備えるカートリッジ式注入器システム（１）であって、
前記レンズ（Ｌ）を保持する偏心の中空体のような形状にされた本体（７）であって、その内部の形状により、あご部（６）の閉鎖を可能とし、回転されたときに、カムが前記あご部の閉鎖を引き起こし、前記レンズ（Ｌ）の包みを提供する本体（７）と、
元の大きさの端を備えるその２つの端部から前記レンズ（Ｌ）を保持し、前記レンズ（Ｌ）を開いた状態に開放し、また閉じた状態に前記レンズ（Ｌ）を包む、２つのあご部（６）と、
前記本体（７）の容易な閉鎖のためのホルダとして機能する前記本体（７）に接続された延伸部状の１つのレバー（８）と、
所望の時間の前に、前記レバー（８）及びそれゆえ前記本体（７）の動作を阻み、保管の間同じ位置でいつも前記レンズ（Ｌ）の長手方向の位置を維持する安全ロック部品（９）と、
前記安全ロック部品（９）が前記回転本体（７）に組み立てられ、異なる、次第に減少する直径値を有する、前記安全ロック部品（９）が取り外された時に粘弾性の液体が注入される、２つの開口（１０）と、
前記本体（７）の前記開口（１０）に取り付けられ、２つの異なる次第に減少する直径値を有する安全ロック部品（１２）上の１つの延伸部（１１）と、
前記第２の本体（３）の前記開口に取り付けられ、前記安全把手（９）を静止させる前記安全ロック部品（１２）の１つの第２の延伸部（１２）と、
傾斜した外側表面を備える狭い中空のチューブに向かって進むための異なる長さを有する２つのヒンジを提供する１つのカートリッジ（１４）であって、前記カートリッジは、前記本体（７）の遠位端に取り付けられるカートリッジ（１４）と、を備えることを特徴とするカートリッジ式注入器システム（１）。
【請求項２】
前記第２の本体（４）は、前記レバー（８）が制限なく立つ、側壁の底面の長さに沿って小さなくぼみ状の低い高さの値を有するように設計されたことを特徴とする請求項１に記載のカートリッジ式注入器システム（１）。
【請求項３】
前記レバー（８）は、前記第２の本体（４）と平行な延伸部を有することを特徴とする請求項１に記載のカートリッジ式注入器システム（１）。
【請求項４】
前記本体（７）は、拘束されないときに水平な楕円状で、回転されたとき垂直な楕円状である内部表面に接触する前記あご部（６）を開け及び／または閉じることを特徴とする請求項１に記載のカートリッジ式注入器システム（１）。
【請求項５】
前記あご部（６）は、開けられたとき水平な表面で自由な前記レンズ（Ｌ）を保持し、閉じられたときその端部から前記レンズ（Ｌ）を保持することを特徴とする請求項１に記載のカートリッジ式注入器システム（１）。
【請求項６】
前記あご部（６）は、先端が前記レンズ（Ｌ）を保持するために内側に曲がり、内側表面は、形状の異なるステージを有することを特徴とする請求項１に記載のカートリッジ式注入器システム（１）。
【請求項７】
親水性のまたは疎水性のレンズ（Ｌ）の使用を特徴とする請求項１に記載のカートリッジ式注入器システム（１）。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
眼症状の診断と治療の少なくとも一方のための装置（２００）であって、
眼の眼窩上に載置されるようにサイズ設定および形状設定されたゴーグル筐体であって、前記眼の露出した前部全体の周りに広がる１つ以上のキャビティを当該ゴーグル筐体内に提供するゴーグル筐体（２１０）と、
前記１つ以上のキャビティと流体連通して前記１つ以上のキャビティに流体圧力を付与するポンプであって、前記ゴーグル筐体の前記１つ以上のキャビティ内の流体圧力を調整するように構成されたポンプ（２２０）と、
眼パラメータの指標を監視するための検出器装置（５０８）からデータを受信するためのデータインタフェースを含む制御回路（２３０）と、を備え、前記検出器装置（５０８）が、直接式、間接式、または推定式のＩＯＰセンサシステム（５０８Ａ，５０８Ｃ）、直接式、間接式、または推定式のＩＣＰセンサシステム（５０８Ｂ）、ＩＯＰの指標を監視するように構成された眼表面センサシステム（５０８Ｄ）、光学指標センサシステム（５０８Ｅ）、血圧センサシステム（５０８Ｆ）、傾斜計センサシステム（５０８Ｇ）、接触圧センサシステム（５０８Ｊ）、ＭＲＩシステム（５０９Ｂ）、およびＸ線システム（５０９Ｆ）のうちの少なくとも１つを含む、装置（２００）。
【請求項２】
前記眼パラメータの指標を監視するための検出器装置は、前記直接式のＩＯＰセンサシステム（５０８Ａ）または前記直接式のＩＣＰセンサシステム（５０８Ｂ）を含む、請求項１に記載の装置（２００）。
【請求項３】
前記眼パラメータの指標を監視するための検出器装置は、ＩＯＰの指標を監視するように構成された前記眼表面センサシステム（５０８Ｄ）を含む、請求項１に記載の装置（２００）。
【請求項４】
前記眼パラメータの指標を監視するための検出器装置は、前記光学指標センサシステム（５０８Ｅ）または前記血圧センサシステム（５０８Ｆ）を含む、請求項１に記載の装置（２００）。
【請求項５】
前記眼パラメータの指標を監視するための検出器装置は、前記傾斜計センサシステム（５０８Ｇ）を含む、請求項１に記載の装置（２００）。
【請求項６】
前記眼パラメータの指標を監視するための検出器装置は、前記接触圧センサシステム（５０８Ｊ）を含む、請求項１に記載の装置（２００）。
【請求項７】
前記眼パラメータの指標を監視するための検出器装置は、前記ＭＲＩシステム（５０９Ｂ）を含む、請求項１に記載の装置（２００）。
【請求項８】
前記眼パラメータの指標を監視するための検出器装置は、前記Ｘ線システム（５０９Ｆ）を含む、請求項１に記載の装置（２００）。
【請求項９】
前記制御回路（２３０）は、前記眼パラメータの指標を表示するためのユーザインタフェースを含む、請求項１に記載の装置（２００）。
【請求項１０】
前記制御回路（２３０）は、前記受信したデータに基づくフィードバック制御変数を処理して前記キャビティ内の前記流体圧力を調整する前記ポンプ（２２０）を制御するための中央処理装置（ＣＰＵ）を含む、請求項１に記載の装置（２００）。
【請求項１１】
前記制御回路（２３０）は、筐体圧力パラメータの指標を監視するための検出器装置（５０６）からデータを受信するためのデータインタフェースを含む、請求項１に記載の装置（２００）。
【請求項１２】
前記筐体圧力パラメータの指標を監視するための検出器装置は、筐体圧力センサ（５０６）を含む、請求項１１に記載の装置（２００）。
【請求項１３】
前記制御回路（２３０）は、前記眼パラメータの指標を監視するための検出器装置（５０８）から前記受信したデータおよび前記筐体圧力パラメータの指標を監視するための検出器装置（５０６）から前記受信したデータのうちの少なくとも一方に基づくフィードバック制御変数を処理するためのＣＰＵを含む、請求項１１に記載の装置（２００）。
【請求項１４】
前記眼パラメータの指標を監視するための検出器装置（５０８）から前記受信したデータおよび前記筐体圧力パラメータの指標を監視するための検出器装置（５０６）から前記受信したデータのうちの少なくとも一方に基づくフィードバック制御変数を処理するためのＣＰＵは、前記眼パラメータの指標を監視するための検出器装置（５０８）から前記受信したデータに基づくフィードバック制御変数を処理する、請求項１３に記載の装置（２００）。
【請求項１５】
前記眼パラメータの指標を監視するための検出器装置から前記受信したデータおよび前記筐体圧力パラメータの指標を監視するための検出器装置から前記受信したデータのうちの少なくとも一方に基づくフィードバック制御変数を処理するためのＣＰＵは、前記筐体圧力パラメータの指標を監視するための検出器装置から前記受信したデータに基づくフィードバック制御変数を処理する、請求項１３に記載の装置（２００）。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
複合回転接続器・ステッパ組立体であって、前記組立体は、
長手方向軸を有する長尺医療用器具を保持するためのステッパであって、前記ステッパは、前記医療用器具のその長手方向軸上での直線運動、回転運動、または直線および回転の両方の運動を支持する、ステッパと、
基部に連結された第１端部により、かつ、第１回転接合部に連結された第２端部により結合されたシザーアーム構成にある複合ピン留め平行四辺形を含む複合回転接続器であって、前記第１回転接合部は前記ステッパに連結されており、前記複合ピン留め平行四辺形は、第１直線位置から第２直線位置に移動可能であり、前記回転接合部は、第１角度位置から第２角度位置に移動可能であり、前記複合ピン留め平行四辺形により画成される直線方向は、前記第１回転接合部により画成される回転軸に対して垂直である、複合回転接続器と、
を含む、組立体。
【請求項２】
前記組立体は、前記複合ピン留め平行四辺形の第２端部を前記第１回転接合部に連結する第２回転接合部をさらに含み、前記第２回転接合部は、前記第１回転接合部に対して垂直で、かつ、前記直線方向に対して平行な回転軸を画成する、請求項１に記載の組立体。
【請求項３】
前記複合ピン留め平行四辺形は、回転運動を支持し、かつ、前記第１端部を前記基部に連結する枢動接合部上で前記第１角度位置から前記第２角度位置に移動可能であり、前記枢動接合部は、前記直線方向に対して垂直な回転軸を画成する、請求項１に記載の組立体。
【請求項４】
前記第１端部にある枢動接合部は、平衡機構により支持される、請求項３に記載の組立体。
【請求項５】
前記複合ピン留め平行四辺形に連結されたブレーキをさらに含む、請求項１乃至４の何れか一項に記載の組立体。
【請求項６】
前記ブレーキは、前記直線方向における運動を可逆的にロックするために前記複合ピン留め平行四辺形に連結されている、請求項５に記載の組立体。
【請求項７】
前記ブレーキは、前記複合ピン留め平行四辺形の回転運動を可逆的にロックするために前記第１端部に対して近傍に配置された枢動接合部に連結されている、請求項５に記載の組立体。
【請求項８】
前記第１回転接合部の運動の自動化された制御のための第１モータをさらに含む、請求項１乃至７の何れか一項に記載の組立体。
【請求項９】
前記第２回転接合部の運動の自動化された制御のための第２モータをさらに含む、請求項２に記載の組立体。
【請求項１０】
前記第２回転接合部は、前記複合ピン留め平行四辺形の直線方向に沿って２つの隣接する枢動接合部に連結されたＵ型ブラケットを用いて前記複合平行四辺形の第２端部に連結されている、請求項２に記載の組立体。
【請求項１１】
前記複合回転接続器は、少なくとも２つのエンコーダ、すなわち前記複合ピン留め平行四辺形の運動を追跡するための第１エンコーダ、および前記第１回転接合部の運動を追跡するための第２エンコーダをさらに含む、請求項１乃至１０の何れか一項に記載の組立体。
【請求項１２】
前記複合ピン留め平行四辺形は、少なくとも３つの平行四辺形ユニットを含む、請求項１乃至１１の何れか一項に記載の組立体。
【請求項１３】
前記複合ピン留め平行四辺形の直線方向は、前記ステッパの重心と整列されている、請求項１乃至１２の何れか一項に記載の組立体。
【請求項１４】
前記基部は、多方向性の運動を支持する複数の接合部を含むスタビライザに連結されている、請求項１乃至１３の何れか一項に記載の組立体。
【請求項１５】
前記長尺医療用器具は超音波トランスデューサである、請求項１乃至１４の何れか一項に記載の組立体。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
管状形状の各端部上の複数のループ（１１０）を有する前記管状形状を形成するように共に織られた複数のワイヤ（１０４）を含み、
前記複数のループのそれぞれが、円筒体および丸くなった遠位端を有するキャップ（１１２）で停止され、前記キャップが、停止された第１のワイヤ端と、切断された第２のワイヤ端と、前記第１のワイヤ端および前記切断された第２のワイヤ端に共に熔融され面一の金属チューブとを備える、血管プロテーゼ。
【請求項２】
前記血管プロテーゼは、外層（１０４）および内層（１０６）を含む、請求項1に記載の血管プロテーゼ。
【請求項３】
前記外側層は、複数のループを有する、請求項２に記載の血管プロテーゼ。
【請求項４】
前記第１のワイヤ端部および前記第２のワイヤ端部は、互いに向かって対称的に曲げられ、共に溶接されて前記鈍った先端を形成する、請求項１に記載の血管プロテーゼ。
【請求項５】
さらに、前記管状形状のそれぞれの端部上には、相対的に長いループを備え、前記管状形状のそれぞれの端部上には、相対的に短いループを備える、請求項１に記載の血管プロテーゼ。
【請求項６】
前記複数のループは、相対的に長いループと、相対的に短いループとが交互とされる、請求項５に記載の血管プロテーゼ。
【請求項７】
さらに、前記管状形状のそれぞれの端部上の相対的に長い３つのループおよび前記管状形状のそれぞれの端部上の相対的に短い３つのループを備える、請求項５に記載の血管プロテーゼ。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
カプノグラフデバイスであって、
呼吸二酸化炭素レベルを測定する二酸化炭素測定要素と、
電子プロセッサとを有し、前記電子プロセッサが、
前記二酸化炭素測定要素により測定される呼吸二酸化炭素レベルを含むカプノグラム信号を時間の関数として生成し、
前記カプノグラフ信号に対してスライディング窓最大化処理を行うことを含む操作により、時間の関数として呼気終末二酸化炭素（ｅｔＣＯ２）信号を計算するようプログラムされ、
前記スライディング窓最大化処理が、数回の呼吸を包含するスライディング時間窓（Ｗ）を使用する、
カプノグラフデバイス。
【請求項２】
前記スライディング窓最大化処理が、少なくとも５回の呼吸を包含する持続時間（Ｔｗ）の前記スライディング時間窓（Ｔ）を使用する、請求項１に記載のカプノグラフデバイス。
【請求項３】
前記スライディング窓最大化処理が、持続時間（Ｔｗ）が少なくとも３０秒である前記スライディング時間窓（Ｗ）を使用する、請求項１に記載のカプノグラフデバイス。
【請求項４】
前記スライディング窓最大化処理が、持続時間（Ｔｗ）が１分から２分までの間である前記スライディング時間窓（Ｗ）を使用する、請求項１に記載のカプノグラフデバイス。
【請求項５】
前記スライディング窓最大化処理が、５秒から１５秒までの間のサンプリング間隔（Ｔｓ）を用いる、請求項１乃至４の何れか一項に記載のカプノグラフデバイス。
【請求項６】
前記スライディング窓最大化処理が、前記ｅｔＣＯ２信号を、
2018527068.tif 000001
として計算することを有し、ここで、ｔは、時間を表し、[ＣＯ２]は、カプノグラム信号を表し、Ｗ（ｔ）は、スライディング時間窓（Ｗ）を
2018527068.tif 000002
として表し、Ｄは、遅延値であり、
2018527068.tif 000003
である、請求項１乃至５の何れか一項に記載のカプノグラフデバイス。
【請求項７】
前記スライディング窓最大化処理を実行することが、
2018527068.tif 000004
を計算することを有し、ここで、ｔは、時間を表し、[ＣＯ２]は、カプノグラフ信号であり、Ｗ（ｔ）は、スライディング時間窓である、請求項１乃至５の何れか一項に記載のカプノグラフデバイス。
【請求項８】
前記電子プロセッサが、前記カプノグラフ信号に対する前記スライディング窓最大化処理を実行する前に、前記カプノグラフ信号に平滑化フィルタを適用することを更に含む操作により、時間の関数として前記ｅｔＣＯ２信号を計算するようプログラムされる、請求項１乃至７の何れか一項に記載のカプノグラフデバイス。
【請求項９】
前記スライディング窓最大化処理を実行することが、平滑化されていないｅｔＣＯ２信号を計算することを有し、前記電子プロセッサは、前記平滑化されていないｅｔＣＯ２信号に平滑化フィルタを適用することにより平滑化されたｅｔＣＯ２信号を時間の関数として計算するようプログラムされる、請求項１乃至８の何れか一項に記載のカプノグラフデバイス。
【請求項１０】
前記ｅｔＣＯ２信号を表示する表示要素を更に有する、請求項１乃至９の何れか一項に記載のカプノグラフデバイス。
【請求項１１】
カプノグラフィ方法を実行する電子プロセッサにより読み取り可能かつ実行可能な命令を記憶する非一時的記憶媒体であって、前記方法が
時間の関数として二酸化炭素測定要素により測定される呼吸二酸化炭素レベルを含むカプノグラム信号を生成するステップと、
時間の関数として呼気終末二酸化炭素信号を計算するため前記カプノグラフ信号にスライディング窓最大化処理を実行するステップとを有し、
前記スライディング窓最大化処理が、数回の呼吸を包含するスライディング時間窓（Ｗ）を使用する、
非一時的記憶媒体。
【請求項１２】
前記スライディング窓最大化処理が、持続時間が少なくとも３０秒である前記スライディング時間窓を使用する、請求項１１に記載の非一時的記憶媒体。
【請求項１３】
前記スライディング窓最大化処理が、持続時間が少なくとも１分であるスライディング時間窓を使用する、請求項１１に記載の非一時的記憶媒体。
【請求項１４】
時間の関数として前記ｅｔＣＯ２信号を計算するため前記スライディング窓最大化処理を実行するステップが、
2018527068.tif 000005
を計算するステップを有し、ここで、ｔは、時間を表し、[ＣＯ２]は、カプノグラフ信号であり、Ｗ（ｔ）は、スライディング時間窓である、請求項１１乃至１３の何れか一項に記載の非一時的記憶媒体。
【請求項１５】
2018527068.tif 000006
が、
（ｉ）前記時間窓Ｗ（ｔ）にわたる最大のカプノグラム信号サンプル、
（ｉｉ）前記時間窓Ｗ（ｔ）にわたる第２の最大のカプノグラム信号サンプル、
（ｉｉｉ）前記時間窓Ｗ（ｔ）にわたる第３の最大のカプノグラム信号サンプル、及び
（ｉｖ）４以下の正の整数Ｎに対し、前記時間窓Ｗ（ｔ）にわたるＮの最高信号サンプルの平均、の１つとして、時間窓Ｗ（ｔ）にわたる最大[ＣＯ２]値を返す、請求項１４に記載の非一時的記憶媒体。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
少なくとも１つの他の筋肉の活動の最中に、呼吸努力の測定に関係する、人間又は動物の身体における標的筋肉の活動を示す筋電図信号を処理するための処理装置において、前記処理装置は、
前記身体上の第１の場所において前記標的筋肉及び前記他の筋肉から得られる第１の筋電図信号を受信するための第１のインタフェース、
前記身体上の第２の場所において前記他の筋肉から得られる第２の筋電図信号を受信するための第２のインタフェース、及び
前記第１の筋電図信号と前記第２の筋電図信号との間の類似性を類似性信号として決定するための解析ユニット
を有し、前記解析ユニットはさらに、
前記類似性信号が第１の既定のしきい値より低い場合、呼吸相を吸気相と決定する、及び／又は
前記類似性信号が第２の既定のしきい値を超えている場合、呼吸相を呼気相と決定する
ように構成される処理装置。
【請求項２】
前記標的筋肉は傍胸骨肋間筋である、及び／又は前記他の筋肉は胸横筋及び大胸筋の少なくとも一方である、請求項１に記載の処理装置。
【請求項３】
前記類似性信号は、前記第１の筋電図信号と前記第２の筋電図信号との相関性又はスペクトルコヒーレンスを示す、請求項１に記載の処理装置。
【請求項４】
前記第１の筋電図信号及び前記第２の筋電図信号の少なくとも一方は、肋間腔において得られる、請求項１に記載の処理装置。
【請求項５】
前記第１の筋電図信号は、第２肋間腔において得られる、及び／又は前記第２の筋電図信号は、第３肋間腔において得られる、請求項１に記載の処理装置。
【請求項６】
前記第１の筋電図信号は、前記身体上の前記第１の場所において前記他の筋肉及び前記標的筋肉の第１のインスタンスから得られる、並びに
前記第２の筋電図信号は、前記身体上の前記第２の場所において前記他の筋肉及び前記標的筋肉の第２のインスタンスから得られる、
請求項１に記載の処理装置。
【請求項７】
前記解析ユニットはさらに、前記類似性信号に基づいて、呼吸相を示す呼吸相信号を供給するように構成される、及び
前記処理装置はさらに、前記呼吸相信号及び前記第１の筋電図信号に基づいて、呼吸努力を決定するように構成される、
請求項１に記載の処理装置。
【請求項８】
前記処理装置は、吸気相中の前記第１の筋電図信号の信号エネルギーに基づいて吸気努力を決定する、及び／又は呼気相中の前記第１の筋電図信号の信号エネルギーに基づいて呼気努力を決定するように構成される、請求項７に記載の処理装置。
【請求項９】
前記処理装置は、前記類似性信号に基づいて、前記第１の筋電図信号から前記他の筋肉の活動を取り除くように構成される、請求項１に記載の処理装置。
【請求項１０】
請求項１に記載の処理装置を有する筋電図測定装置、及び
胸部上の少なくとも２つの異なる場所において表面筋電図測定のための少なくとも２つの組の電極を有する電極パッチ
を有する筋電図測定システムにおいて、
前記２つの組の電極の第１の組は、胸骨を除く、第１の肋間腔において第１の筋電図信号を測定するために配される第１の対の電極を有する、及び
前記２つの組の電極の第２の組は、胸骨を除く、第２の肋間腔において第２の筋電図信号を測定するために配される第２の対の電極を有する
筋電図測定システム。
【請求項１１】
請求項１に記載の処理装置を有する筋電図測定装置、
前記第１の筋電図信号を得るための第１の対の電極であり、前記処理装置の前記第１のインタフェースに前記第１の筋電図信号を供給するために、前記筋電図測定装置の第１の入力部に接続可能である、第１の対の電極、及び
前記第２の筋電図信号を得るための第２の対の電極であり、前記処理装置の前記第２のインタフェースに前記第２の筋電図信号を供給するために、前記筋電図測定装置の第２の入力部に接続可能である、第２の対の電極
を有する、筋電図測定システム。
【請求項１２】
少なくとも１つの他の筋肉の活動の最中に、呼吸努力の測定に関係する、人間又は動物の身体における標的筋肉の活動を示す筋電図信号を処理するためのコンピュータの実施方法において、前記方法は、
前記身体上の第１の場所において前記標的筋肉及び前記他の筋肉から得られる第１の筋電図信号を受信するステップ、
前記身体上の第２の場所において前記他の筋肉から得られる第２の筋電図信号を受信するステップ、
前記第１の筋電図信号と前記第２の筋電図信号との間の類似性を類似性信号として決定するステップ、並びに
前記類似性信号が第１の既定のしきい値より低い場合、呼吸相を吸気相と決定する、及び／又は
前記類似性信号が第２の既定のしきい値を超えている場合、呼吸相を呼気相と決定するステップ
を有する方法。
【請求項１３】
前記類似性信号に基づいて、前記呼吸相を示す呼吸相信号を供給するステップ、並びに
前記呼吸相信号及び前記第１の筋電図信号に基づいて呼吸努力を決定するステップ
をさらに有する請求項１２に記載の方法。
【請求項１４】
コンピュータプログラムがコンピュータ上で実行されるとき、前記コンピュータに請求項１２乃至１３の何れか一項に記載の方法のステップを実行させるためのプログラムコード手段を有するコンピュータプログラム。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
固定部分に結合され、前記固定部分に対して少なくとも１つの軸に沿って移動する可動部分であって、前記結合が、前記可動部分の移動中に移動する１以上の摩擦点を含み、前記摩擦点が、少なくとも前記可動部分による移動によって摩耗し、前記可動部分が、撮像装置を用いる撮像手順中に対象又は被検体の少なくとも一方を受け、支持する、当該可動部分と、
前記可動部分に取り付けられ又は埋め込まれ、１以上の軸に沿った前記可動部分の平行移動の加速度を直接的に測定する１以上の慣性測定ユニット（IMU）と、
前記１以上のIMUの各々から前記直接的に測定された加速度を受信し、受信された測定値を記憶する加速度計測定ユニットと、
前記記憶された測定値を受信し、前記直接的に測定された加速度に基づいて前記摩擦点に対する摩耗標示を示すように前記記憶された測定値を評価する摩耗評価器と、
を有する対象支持体。
【請求項２】
前記１以上のIMUが、前記撮像装置により放射された放射線からの遮蔽を含む、請求項１に記載の対象支持体。
【請求項３】
前記１以上のIMUの少なくとも１つが、前記撮像装置を通る前記可動部分の先端部又は側縁の少なくとも一方に配置される、請求項１及び２のいずれか一項に記載の対象支持体。
【請求項４】
前記可動部分が、互いに独立して前記可動部分の対応する位置のy軸加速度を測定する前記可動部分のz軸に沿って離間された複数のIMUを含む、請求項１乃至３のいずれか一項に記載の対象支持体。
【請求項５】
前記記憶された測定値を受信し、前記撮像領域内の支持される対象を持つ前記可動部分のy軸に沿った前記１以上のIMUの１つの位置における前記直接的に測定された加速度に基づいて前記撮像装置に対するデータ取得パラメータ又は画像再構成パラメータの少なくとも一方に対する調整を識別するカウチ位置ユニット、
を有する、請求項１に記載の対象支持体。
【請求項６】
前記加速度計測定ユニットが、直接測定の時間、カウチ位置、画像フレーム、１以上のモータ制御コマンド、又は撮像手順の少なくとも１つを前記受信された測定値とともに記憶し、
前記摩耗評価器が、位置インジケータの変化に基づいて測定された予期加速度と、対応する直接的に測定された加速度との間の差に基づいて摩耗を示すように前記受信された測定値を評価する、
請求項１乃至５のいずれか一項に記載の対象支持体。
【請求項７】
前記摩耗評価器が、撮像プロトコルにおける複数の点における前記予期加速度と前記対応する直接的に測定された加速度との間の差の統計的な評価に基づく閾値を超過する測定値の予測を含む摩耗を示すように前記受信された測定値を評価する、請求項６に記載の対象支持体。
【請求項８】
対象支持体の移動を測定する方法において、
固定部分に結合された可動部分の加速度を直接的に測定するステップであって、前記可動部分が、前記固定部分に対して少なくとも１つの軸に沿って移動し、前記結合が、少なくとも前記可動部分の移動により摩耗する、前記可動部分と前記固定部分との間の１以上の摩擦点を含み、前記可動部分が、撮像装置を用いる撮像手順中に対象又は被験体の少なくとも一方を受け、支持するように構成され、前記可動部分に取り付けられた又は埋め込まれた１以上の慣性測定ユニット（IMU）が、前記少なくとも１つの軸に沿って平行移動する前記可動部分の加速度を直接的に測定する、ステップと、
データ記憶装置に前記１以上のIMUの各々からの前記直接的に測定された加速度を記憶するステップと、
前記直接的に測定された加速度に基づいて前記摩擦点に対する摩耗標示を示す前記記憶された加速度を評価するステップと、
を有する方法。
【請求項９】
前記加速度を直接的に測定するステップが、
撮像装置により放射された放射線から前記１以上のIMUを遮蔽するステップ、
を含む、請求項８に記載の方法。
【請求項１０】
前記加速度を直接的に測定するステップが、
前記撮像装置の撮像領域を通ってz軸に沿って前記可動部分を移動するステップであって、前記z軸加速度が、前記撮像領域を通る前記可動部分の先端部又は側縁の少なくとも一方に配置された前記１以上のIMUの少なくとも１つにより直接的に測定される、ステップ、
を含む、請求項８及び９のいずれか一項に記載の方法。
【請求項１１】
前記加速度を直接的に測定するステップが、上昇又はたわみの少なくとも一方を含むy軸に沿って移動する前記可動部分の移動を含み、y軸加速度が、前記１以上のIMUの各々により独立して直接的に測定される、請求項８乃至１０のいずれか一項に記載の方法。
【請求項１２】
前記直接的に測定された加速度によって前記可動部分の位置を較正するステップ、
を有する、請求項８乃至１１のいずれか一項に記載の方法。
【請求項１３】
前記可動部分に沿った前記１以上のIMUの少なくとも１つの位置における計算されたy軸たわみに基づいて取得パラメータ又は再構成パラメータの少なくとも一方に対する調整を識別するステップ、
を有する、請求項１２に記載の方法。
【請求項１４】
前記直接的に測定された加速度をデータ記憶装置に記憶するステップと、時間、カウチ位置、画像フレーム、モータ制御コマンド又は撮像手順の少なくとも１つを記憶するステップと、
を有する、請求項８乃至１３のいずれか一項に記載の方法。
【請求項１５】
前記評価するステップが、
複数の前記直接的に測定された加速度の予期される加速度と、対応する前記直接的に測定された加速度との間の差の統計的評価に基づく閾値を超過する予期された摩耗を予測するステップ、
を含む、請求項８乃至１４のいずれか一項に記載の方法。
【請求項１６】
対象支持体の移動を測定する方法において、
固定部分に結合された可動部分の加速度を直接的に測定するステップであって、前記可動部分が、前記固定部分に対して少なくとも１つの軸に沿って移動し、前記結合が、少なくとも前記可動部分の移動により摩耗する、前記可動部分と前記固定部分との間の１以上の摩擦点を含み、前記可動部分が、撮像装置を用いる撮像手順中に対象又は被験体の少なくとも一方を受け、支持するように構成され、前記可動部分に取り付けられた又は埋め込まれた１以上の慣性測定ユニット（IMU）が、前記少なくとも１つの軸に沿って平行移動する前記可動部分の加速度を直接的に測定する、ステップと、
前記摩擦点に対する摩耗標示を示す前記少なくとも１つの軸に沿った前記直接的に測定された加速度を評価し、メンテナンスに対する信号を生成するステップと、
を有する、方法。